(57)【要約】【課題】アンテナ部材の構成数を抑えつつ効率的に配置し、アンテナの利得の向上を図り、マルチバンド化にも対応可能なアンテナ部材を提供すること。【解決手段】第１導電部材１１と、第２導電部材１２と、給電部１３と、第１導電部材１１と給電部１３、又は第２導電部材１２と給電部１３が電気的に接続されるように切り替える切替部１４を備える。第１導電部材１１と、第２導電部材１２とは、所定の距離離れて平行になるように配置される。【選択図】図１
2014027555.tif 000002
【特許請求の範囲】
【請求項１】
第１導電部材と、
第２導電部材と、
給電部と、
前記第１導電部材と前記給電部、又は前記第２導電部材と前記給電部が電気的に接続されるように切り替える切替部を備え、
前記第１導電部材と、前記第２導電部材とは、所定の距離離れて平行になるように配置されるアンテナ部材。
【請求項２】
第１導電部材と、
第２導電部材と、
給電部と、
前記給電部と電気的に接続される第１切替部と、
前記第１導電部材と前記第１切替部、又は前記第１導電部材と基準電位部が電気的に接続されるように切り替える第２切替部と、
前記第２導電部材と前記第１切替部、又は前記第２導電部材と基準電位部が電気的に接続されるように切り替える第３切替部とを備え、
前記第１導電部材と、前記第２導電部材とは、所定の距離離れて平行になるように配置され、
前記第１導電部材と前記第１切替部が電気的に接続されるように前記第２切替部により切り替えられ、前記第２切替部と前記給電部が電気的に接続されるように前記第１切替部により切り替えられることにより、前記第１導電部材が前記給電部に電気的に接続され、
前記第２導電部材と前記第１切替部が電気的に接続されるように前記第３切替部により切り替えられ、前記第３切替部と前記給電部が電気的に接続されるように前記第１切替部により切り替えられることにより、前記第２導電部材が前記給電部に電気的に接続されるアンテナ部材。
【請求項３】
第１導電部材と、
第２導電部材と、
給電部と、
前記第２導電部材と基準電位部、又は前記第２導電部材と前記給電部が電気的に接続されるように切り替える切替部を備え、
前記第１導電部材と、前記第２導電部材とは、所定の距離離れて平行になるように配置され、
前記第１導電部材は、前記給電部と電気的に接続されているアンテナ部材。
【請求項４】
第１導電部材と、第２導電部材とを有し、
前記第１導電部材に給電し、前記第２導電部材を接地している状態から、前記第２導電部材に給電し、前記第１導電部材を接地している状態に切り換え可能な切替部を有するアンテナ部材。
【発明の詳細な説明】
【技術分野】
【０００１】
本発明は、アンテナ部材に関する。
【背景技術】
【０００２】
電子機器の無線機能の多様化に伴い、多数のアンテナを端末内に配置する必要があり、年々必要なアンテナ数も増えてきている。
【先行技術文献】
【特許文献】
【０００３】
【特許文献１】特開２０１２−１０５１２４号公報
【発明の概要】
【発明が解決しようとする課題】
【０００４】
よって、アンテナ部材をより効率的に配置する方法が求められている。
本発明は、アンテナ部材を効率的に配置し、アンテナの利得の向上を図ることができるアンテナ部材を提供することを目的とする。
【課題を解決するための手段】
【０００５】
本発明に係るアンテナ部材は、上記課題を解決するために、第１導電部材と、第２導電部材と、給電部と、前記第１導電部材と前記給電部、又は前記第２導電部材と前記給電部が電気的に接続されるように切り替える切替部を備え、前記第１導電部材と、前記第２導電部材とは、所定の距離離れて平行になるように配置される構成である。
【０００６】
アンテナ部材では、第１導電部材と、第２導電部材と、給電部と、前記給電部と電気的に接続される第１切替部と、前記第１導電部材と前記第１切替部、又は前記第１導電部材と基準電位部が電気的に接続されるように切り替える第２切替部と、前記第２導電部材と前記第１切替部、又は前記第２導電部材と基準電位部が電気的に接続されるように切り替える第３切替部とを備え、前記第１導電部材と、前記第２導電部材とは、所定の距離離れて平行になるように配置され、前記第１導電部材と前記第１切替部が電気的に接続されるように前記第２切替部により切り替えられ、前記第２切替部と前記給電部が電気的に接続されるように前記第１切替部により切り替えられることにより、前記第１導電部材が前記給電部に電気的に接続され、前記第２導電部材と前記第１切替部が電気的に接続されるように前記第３切替部により切り替えられ、前記第３切替部と前記給電部が電気的に接続されるように前記第１切替部により切り替えられることにより、前記第２導電部材が前記給電部に電気的に接続される構成でもよい。
【０００７】
アンテナ部材では、第１導電部材と、第２導電部材と、給電部と、前記第２導電部材と基準電位部、又は前記第２導電部材と前記給電部が電気的に接続されるように切り替える切替部を備え、前記第１導電部材と、前記第２導電部材とは、所定の距離離れて平行になるように配置され、前記第１導電部材は、前記給電部と電気的に接続されている構成でもよい。
【０００８】
アンテナ部材では、第１導電部材と、第２導電部材とを有し、前記第１導電部材に給電し、前記第２導電部材を接地している状態から、前記第２導電部材に給電し、前記第１導電部材を接地している状態に切り換え可能な切替部を有する構成でもよい。
【発明の効果】
【０００９】
本発明によれば、アンテナ部材を効率的に配置し、アンテナの利得の向上を図ることができる。
【図面の簡単な説明】
【００１０】
【図１】アンテナ部材の第１の構成を示す図である。
【図２】アンテナ部材の第２の構成を示す図である。
【図３】アンテナ部材の第３の構成を示す図である。
【発明を実施するための形態】
【００１１】
以下、本発明の好適な実施形態の一例について説明する。なお、本実施形態では、具体例として携帯電話機を想定して説明するが、これに限られず、例えば、ＰＨＳ（Ｐｅｒｓｏｎａｌ  Ｈａｎｄｙ  ｐｈｏｎｅ  Ｓｙｓｔｅｍ）端末や、ＰＤＡ（Ｐｅｒｓｏｎａｌ  Ｄｉｇｉｔａｌ  Ａｓｓｉｓｔａｎｔ）等の様々な携帯無線通信端末に適用可能である。
【００１２】
携帯電話機は、複数のアンテナ部材が内蔵されている。
ここで、アンテナ部材１が、エレメントと地線又は無給電素子で構成している場合、スイッチ等で地線（無給電素子）を回路側（給電部）と接続させてエレメントとして用いることで、アンテナ部材単体とは異なる周波数帯のアンテナを構成することが可能となる。
【００１３】
また、エレメントを地線又は無給電素子として活用することで、さらにマルチバンドアンテナとして構成することが可能となる。スイッチにて地線（無給電素子）をエレメントの一部として構成することも可能となる。
以下に具体的な構成について説明する。
【００１４】
アンテナ部材１は、図１に示すように、第１導電部材１１と、第２導電部材１２と、給電部１３と、切替部１４とを備える。また、第２導電部材１２は、無給電素子である。
切替部１４は、第１導電部材１１と給電部１３、又は第２導電部材１２と給電部１３が電気的に接続されるように切り替える。また、第１導電部材１１と、第２導電部材１２とは、所定の距離離れて平行になるように配置される。具体的には、第１導電部材１１の一方端部（図１中のＡ）と、第２導電部材１２とは、所定の距離離れて平行になるように配置される。
【００１５】
なお、図１では、第１導電部材１１の一方端部は、第２導電部材１２を所定の距離を保ちながら囲うように形成されているが、これに限られない。
【００１６】
ここで、アンテナ部材１は、切替部１４により第１導電部材１１と給電部１３とが電気的に接続するように切り替えることにより、第１導電部材１１により構成されるアンテナ部材１の利得を向上させることができる。
【００１７】
また、アンテナ部材１は、切替部１４により第２導電部材１２と給電部１３が電気的に接続するように切り替えることにより、第２導電部材１２により構成されるアンテナ部材１の利得を向上させることができる。
【００１８】
このようにして、アンテナ部材１は、無給電素子である第２導電部材１２を、アンテナを構成するエレメントとして利用する。
よって、携帯電話機にアンテナ部材１を搭載させることにより、携帯電話機内において、アンテナ部材の数を減少させ、アンテナ部材を効率的に配置し、アンテナの利得の向上を図ることができる。
【００１９】
アンテナ部材１は、図２に示すように、第１導電部材１１と、第２導電部材１２と、給電部１３と、第１切替部１５と、第２切替部１６と、第３切替部１７とを備える。また、第２導電部材１２は、無給電素子である。
第１切替部１５は、給電部１３と電気的に接続される。
第２切替部１６は、第１導電部材１１と第１切替部１５、又は第１導電部材１１と基準電位部１８が電気的に接続されるように切り替える。
第３切替部１７は、第２導電部材１２と第１切替部１５、又は第２導電部材１２と基準電位部１８が電気的に接続されるように切り替える。
【００２０】
第１導電部材１１と、第２導電部材１２とは、所定の距離離れて平行になるように配置される。
【００２１】
第１導電部材１１と第１切替部１５が電気的に接続されるように第２切替部１６により切り替えられ、第２切替部１６と給電部１３が電気的に接続されるように第１切替部１５により切り替えられることにより、第１導電部材１１が給電部１３に電気的に接続される。
【００２２】
第２導電部材１２と第１切替部１５が電気的に接続されるように第３切替部１７により切り替えられ、第３切替部１７と給電部１３が電気的に接続されるように第１切替部１５により切り替えられることにより、第２導電部材１２が給電部１３に電気的に接続される。
【００２３】
なお、図２では、第１導電部材１１の一方端部は、第２導電部材１２を所定の距離を保ちながら囲うように形成されているが、これに限られない。
【００２４】
ここで、第２切替部１６により第１導電部材１１と第１切替部１５が電気的に接続されるように切り替え、第１切替部１５により第２切替部１６と給電部１３が電気的に接続されるように切り替え、第１導電部材１１が給電部１３に電気的に接続された場合について説明する。
【００２５】
第３切替部１７により第２導電部材１２と基準電位部１８が電気的に接続されるように切り替えた場合には、第２導電部材１２は、接地された状態になる。
このような構成の場合には、第１導電部材１１により構成されるアンテナ部材１は、第２導電部材１２の影響により、広帯域化し、マルチバンドに対応することができるようになる。
【００２６】
また、第３切替部１７により第２導電部材１２と第１切替部１５が電気的に接続されるように切り替えた場合には、第１切替部１５が第１導電部材１１側と接続されているため、第２導電部材１２は、開放された状態になる。
このような構成の場合には、第１導電部材１１により構成されるアンテナ部材１は、第２導電部材１２の影響により、利得が向上する。
【００２７】
つぎに、第３切替部１７により第２導電部材１２と第１切替部１５が電気的に接続されるように切り替え、第１切替部１５により第３切替部１７と給電部１３が電気的に接続されるように切り替え、第２導電部材１２が給電部１３に電気的に接続された場合について説明する。
【００２８】
第２切替部１６により第１導電部材１１と基準電位部１８が電気的に接続されるように切り替えた場合には、第１導電部材１１は、接地された状態になる。
このような構成の場合には、第２導電部材１２により構成されるアンテナ部材１は、無給電素子として機能する第１導電部材１１の影響により、広帯域化し、マルチバンドに対応することができるようになる。
【００２９】
また、第２切替部１６により第１導電部材１１と第１切替部１５が電気的に接続されるように切り替えた場合には、第１切替部１５が第２導電部材１２側と接続されているため、第１導電部材１１は、開放された状態になる。
このような構成の場合には、第２導電部材１２により構成されるアンテナ部材１は、無給電素子として機能する第１導電部材１１の影響により、利得が向上する。
【００３０】
このようにして、アンテナ部材１は、無給電素子である第２導電部材１２を、アンテナを構成するエレメントとして利用する。
よって、携帯電話機にアンテナ部材１を搭載させることにより、携帯電話機内において、アンテナ部材の数を減少させ、アンテナ部材を効率的に配置し、アンテナの利得の向上を図り、マルチバンドに対応することができる。
【００３１】
アンテナ部材１は、図３に示すように、第１導電部材１１と、第２導電部材１２と、給電部１３と、切替部１４とを備える。また、第２導電部材１２は、地線である。
切替部１４は、第２導電部材１２と基準電位部１８、又は第２導電部材１２と給電部１３が電気的に接続されるように切り替える。
第１導電部材１１と、第２導電部材１２とは、所定の距離離れて平行になるように配置されている。
第１導電部材１１は、給電部１３と電気的に接続されている。
【００３２】
なお、図３では、第１導電部材１１の一方端部は、第２導電部材１２を所定の距離を保ちながら囲うように形成されているが、これに限られない。
【００３３】
切替部１４により第２導電部材１２と基準電位部１８が電気的に接続されるように切り替えた場合には、第２導電部材１２は、接地された状態になる。
このような構成の場合には、第１導電部材１１により構成されるアンテナ部材１は、無給電素子として機能する第２導電部材１２の影響により、広帯域化し、マルチバンドに対応することができるようになる。
【００３４】
また、切替部１４により第２導電部材１２と給電部１３が電気的に接続されるように切り替えた場合には、第１導電部材１１と第２導電部材１２が共に給電部１３に電気的に接続されることになる。
このような構成の場合には、アンテナ部１は、第１導電部材１１をエレメントとするアンテナと、第２導電部材１２をエレメントとするアンテナを同時に形成することができる。
【００３５】
このようにして、アンテナ部材１は、地線である第２導電部材１２を、アンテナを構成するエレメントとして利用する。
よって、携帯電話機にアンテナ部材１を搭載させることにより、携帯電話機内において、アンテナ部材の数を減少させ、アンテナ部材を効率的に配置し、アンテナの利得の向上を図り、マルチバンドに対応することができる。
【００３６】
アンテナ部材１は、第１導電部材１１と、第２導電部材１２と、切替部１４とを有する構成でもよい。第２導電部材１２は、無給電素子又は地線である。
切替部１４は、第１導電部材１１に給電し、第２導電部材１２を接地している状態から、第２導電部材１２に給電し、第１導電部材１１を接地している状態に切り換える。
【００３７】
このようにして、アンテナ部材１は、無給電素子又は地線である第２導電部材１２を、アンテナを構成するエレメントとして利用する。
よって、携帯電話機にアンテナ部材１を搭載させることにより、携帯電話機内において、アンテナ部材の数を減少させ、アンテナ部材を効率的に配置し、アンテナの利得の向上を図り、マルチバンドに対応することができる。
【符号の説明】
【００３８】
１  アンテナ部材
１１  第１導電部材
１２  第２導電部材
１３  給電部
１４  切替部
１５  第１切替部
１６  第２切替部
１７  第３切替部
１８  基準電位部
【図１】
2014027555.tif 000003
【図２】
2014027555.tif 000004
【図３】
2014027555.tif 000005